(57)【要約】【課題】各遊技店内において効果的な広告放映を行うことのできる遊技店向け広告の配信システムを提案すること。【解決手段】遊技店向け広告の配信システム１は、システム運営会社２に設置された広告配信装置３と、各パチンコ店４に設置された広告受信装置として機能するホールコンピュータ５と、各パチンコ店４に設置された複数台のパチンコ台８および台間機６と、広告表示装置として機能する台間機６に設置された液晶表示装置７とを有している。広告配信装置３からインターネット９を経由して各パチンコ店４のホールコンピュータ５に広告が配信され、各ホールコンピュータ５で受信した広告は、各台間機６の液晶表示装置７を介して放映される。広告配信装置３の側において各パチンコ店向けの広告が効果的に制作、更新され、各パチンコ店４では、遊技者にとって魅力的な広告を、遊技者の目につき易い状態で放映できる。【選択図】　　　図１
2004121638.tif 000002
【特許請求の範囲】
【請求項１】
遊技店向けに広告を配信するための広告配信装置と、
各遊技店に設置され、インターネットなどの通信網を介して、前記広告配信装置から遊技店向け広告を受信する広告受信装置と、
前記広告受信装置から提供される広告を表示するために、前記遊技店に設置されている遊技台および／または台間機に搭載された広告表示装置と、
を有している遊技店向け広告の配信システム。
【請求項２】
請求項１において、
前記広告表示装置は、前記台間機に搭載された液晶表示装置であることを特徴とする遊技店向け広告の配信システム。
【請求項３】
請求項１において、
前記広告表示装置は、前記遊技台の前面に取り付けられた透過型の液晶表示装置であることを特徴とする遊技店向け広告の配信システム。
【請求項４】
請求項１において、
前記広告表示装置は、前記遊技台に組み込まれている遊技用の液晶表示装置であることを特徴とする遊技店向け広告の配信システム。
【請求項５】
請求項３または４において、
遊技者が前記遊技台に座ると、前記液晶表示装置による広告表示が停止することを特徴とする遊技店向け広告の配信システム。
【請求項６】
請求項１ないし５のうちのいずれかの項において、
前記広告受信装置は、前記遊技店に設置されている前記遊技台および前記台間機の駆動制御および監視を行うホールコンピュータであることを特徴とする遊技店向け広告の配信システム。
【請求項７】
請求項１ないし６のうちのいずれかの項において、
前記広告受信装置は、各広告表示装置による広告表示時間、広告表示回数を含む広告表示状態を監視する広告表示監視機能を備えており、
前記広告配信装置は、各遊技店の前記広告受信装置から広告表示状態に関するデータを受信して、各遊技店に支払うべき広告放映料を算出する広告放映料算出機能を備えていることを特徴とする遊技店向け広告の配信システム。
【発明の詳細な説明】
【０００１】
【発明の属する技術分野】
本発明は、パチンコ台やパチスロ台が設置された遊技店において遊技者に対して興味ある広告（遊技店向け広告）を放映する遊技店向け広告の配信システムに関するものである。
【０００２】
【従来の技術】
近年、パチンコ台やパチスロ台などの遊技台を設置した遊技店では、遊技客の来場を促進すると共に、来場した遊技客を囲い込むために様々なサービスを提供している。例えば、出玉数、大当たり回数、来場回数等に応じてポイントを与え、その累積ポイントに応じた賞品をプレゼントする会員向けポイントサービス、遊技で獲得した遊技媒体を所定期間預かる会員向け貯玉サービスなどが知られている。
【０００３】
また、遊技店内に、広告放映用のモニタを設置して、上記のような会員向けポイントサービス、会員向け貯玉サービスなどを遊技客に知らせるための広告放映、各遊技機の詳細な出玉情報の放映、各種イベントに関する放映、テレビ画像の放映などが行われている。
【０００４】
なお、各遊技店で個別に発行される磁気カードやＩＣカードなどの会員カードを利用可能な遊技店情報をインターネットなどの通信回線を介して問合せ可能なシステムが次の特許文献に開示されている。
【０００５】
【特許文献】
特開２００２−１０２５０５号公報
【０００６】
【発明が解決しようとする課題】
ここで、遊技客サービスの一環として、遊技店内に広告用モニタを設置して、遊技客にとって興味のある広告を放映することが考えられる。例えば、自動車、タバコ、酒などの広告などを放映することが考えられる。従来においては、遊技店の天井などから専用モニタが吊り下げられ、この専用モニタの画面上に、テレビ画像やイベント予告などを表示している。しかしながら、遊技客が上を向いてこのような専用モニタで放映されている広告を見ることをそれほど期待できない。特に、遊技客が遊技中に放映広告を見ることは全く期待できない。
【０００７】
そこで、遊技客の目の高さ位置に広告放映用の表示装置を設置することが考えられる。例えば、遊技台の間に設置されている台間機に液晶表示装置などの表示装置を組み込み、この表示装置により広告を放映することが考えられる。
【０００８】
しかしながら、台間機に表示装置を付加すると、台間機のコストが大幅に上昇してしまう。各遊技店が大幅にコスト高となった台間機を購入して設置することを期待できないので、表示装置付きの台間機の普及は現実的ではなく、従って、台間機を用いて効果的な広告放映を行うことが出来ない。
【０００９】
一方、放映する広告内容を遊技店の側で決定して放映画像を制作することは、時間および費用が掛かるので行われていないのが現状である。このために、従来においては、遊技店での放映に適した広告、例えば、遊技客の客層に合った広告を放映することが困難であった。
【００１０】
本発明の課題は、このような点に鑑みて、遊技店側の費用負担を低減でき、しかも、遊技店に適した広告を放映することのできる遊技店向け広告の配信システムを提案することにある。
【００１１】
【課題を解決するための手段】
上記の課題を解決するために、本発明の遊技店向け広告の配信システムは、
遊技店向けに広告を配信するための広告配信装置と、
各遊技店に設置され、インターネットなどの通信網を介して、前記広告配信装置から遊技店向け広告を受信する広告受信装置と、
前記広告受信装置から提供される広告を表示するために、前記遊技店に設置されている遊技台および／または台間機に搭載された広告表示装置とを有していることを特徴としている。
【００１２】
ここで、前記広告表示装置を、前記台間機に搭載された液晶表示装置とすることができる。
【００１３】
また、前記広告表示装置を、前記遊技台の前面に取り付けられた透過型の液晶表示装置とすることもできる。あるいは、前記広告表示装置を、前記遊技台に組み込まれている遊技用の液晶表示装置と兼用することも可能である。遊技台の表示装置によって広告を放映する場合には、遊技者が前記遊技台に座ると、前記液晶表示装置による広告表示が停止するように構成すればよい。
【００１４】
次に、前記広告受信装置を、前記遊技店に設置されている前記遊技台および前記台間機の駆動制御および監視を行うホールコンピュータとすることができる。
【００１５】
このように構成した本発明の遊技店向け広告の配信システムでは、広告配信装置の側において、各遊技店での放映に最適な広告が制作されて各遊技店に配信される。各遊技店では、遊技者の目の高さ位置にある表示装置により広告が放映される。従って、遊技者に対して効果的な広告宣伝を行うことが可能になる。
【００１６】
また、広告は広告制作者の側において一括して制作されるので、各遊技店の側における広告制作のための負担はない。さらに、広告配信装置の側において、換言すると、本発明による遊技店向け広告配信システムの運営会社が、各遊技店で放映される広告放映料を広告主あるいは広告代理店から徴収し、徴収した広告放映料を、各遊技店における表示装置付き台間機の購入代金に充当すれば、高価な表示装置付き台間機の普及も促進され、一層、遊技者に対する広告を効果的に行うことが可能になる。
【００１７】
例えば、次のようにして、各遊技店に支払うべき広告放映料を算出することができる。すなわち、前記広告受信装置（ホールコンピュータ）に、各広告表示装置による広告表示時間、広告表示回数を含む広告表示状態を監視する広告表示監視機能を持たせ、前記広告配信装置には、各遊技店の前記ホールコンピュータから広告表示状態に関するデータを受信して、各遊技店に支払うべき広告放映料を算出する広告放映料算出機能を持たせる。
【００１８】
【発明の実施の形態】
以下に、図面を参照して、本発明を適用した遊技店向け広告の配信システムの実施の形態を説明する。
【００１９】
（全体構成）
図１は、本実施の形態に係る遊技店向け広告の配信システムの全体構成を示す全体構成図である。遊技店向け広告の配信システム１は、広告配信システム運営会社２に設置されている広告配信装置３と、各遊技店、例えばパチンコ店４（４−１、４−２、４−３・・・）に設置されているホールコンピュータ５と、各パチンコ店４に設置されている複数台の台間機６（６−１、６−２、６−３・・・）のそれぞれに設置されている液晶表示装置７とを有している。
【００２０】
広告配信装置３はパーソナルコンピュータ、キーボードなどの入力装置および表示装置やプリンタなどの出力装置から構成され、インターネット通信機能が備わっている。各パチンコ店４に設置されているホールコンピュータ５は、店内に設置されている多数の遊技台８（８−１、８−２・・・）および台間機６の動作制御および監視を行う。また、ホールコンピュータ５は、インターネット通信機能が備わっており、インターネット９を介して配信されたパチンコ店向け広告を受信する広告受信装置として機能する。各台間機６に設置されている液晶表示装置７は、ホールコンピュータ５から供給される受信広告を表示する広告表示装置として機能する。
【００２１】
（広告配信・放映動作）
このように構成した本実施の形態に係る遊技店向け広告の配信システム１によるパチンコ店向け広告の配信・放映動作を説明する。
【００２２】
まず、広告配信システム１の運営会社２では、担当者が、各パチンコ店４に向けて配信されるパチンコ店向け広告を制作して、配信広告データベース３１を作成する。この配信広告データベース３１は必要に応じて、あるいは定期的に更新される。
【００２３】
広告配信装置３は、配信用広告データベース３１に登録されている広告を、通信網、本例ではインターネット９を介して、各パチンコ店４のホールコンピュータ５に配信する。広告の配信は、配信広告の更新毎に行うようにしてもよいし、各パチンコ店４からの配信要求を受け取った場合に行うようにしてもよい。例えば、各パチンコ店４からの配信要求に応じて広告を配信する場合には、複数種類のパチンコ店向け広告を制作して配信広告データベース３１に登録しておき、各パチンコ店４から指定された配信広告を配信するようにしてもよい。この場合には、例えば、インターネットホームページ上においてサイトを運営して、配信可能な広告を掲載し、各パチンコ店４では、ホールコンピュータ５から当該サイトにアクセスして、配信を希望する広告を選択してダウンロードするようにしてもよい。
【００２４】
広告受信装置として機能する各パチンコ店４のホールコンピュータ５は、インターネット９を介して配信されたパチンコ店向け広告を受信し、受信した広告データを内部メモリあるいは外部メモリ（図示せず）に格納する。
【００２５】
ホールコンピュータ５は、外部からの指示入力により、あるいは、予めインストールされている制御プログラムによって、受信したパチンコ店向け広告データを、各台間機６に送信し、それぞれに設置されている液晶表示装置７の表示画面上に表示させる。広告の放映は、終日行うようにしてもよいし、予め定めた時間帯において行うようにしてもよい。この代わりに、液晶表示装置７の操作部に配列した操作キーを操作すると広告が放映されるようにしてもよい。
【００２６】
（作用効果）
このように構成した本実施の形態に係る遊技店向け広告の配信システム１では、当該配信システム１の運営会社が各パチンコ店向けの広告を一括して制作して各パチンコ店４に配信している。よって、各パチンコ店が個別に広告放映すべき画像データを制作するなどの手間が不要になり、その更新も簡単に行うことができる。
【００２７】
また、広告放映が台間機６に設置した液晶表示装置７により行われる。台間機６に設置した液晶表示装置７の画面は遊技者の目の高さ位置、あるいはその上下の位置にあるので、放映広告が遊技者の目にとまりやすいので、効果的に広告を行うことが可能になる。
【００２８】
さらに、本実施の形態による遊技店向け広告の配信システム１を採用すれば、各パチンコ店４は、液晶表示装置付きの高価な台間機４の購入代金の一部を、広告放映料で賄うことができる。よって、液晶表示装置付き台間機４を普及させることができ、これによっても、本実施の形態による配信システム１を効果的に普及させることが可能になる。
【００２９】
例えば、図２に示すようなシステム運営を考えることができる。このシステム運営においては、台間機６が、台間機販売元１０から配信システム１の運営会社２に供給され、運営会社２は台間機費用を支払う（矢印Ａ、Ｂ）。運営会社２は、各パチンコ店４に台間機６を供給し（矢印Ｃ）、台間機６の液晶表示装置７に広告を配信して表示させる（矢印Ｄ）。
【００３０】
広告主あるいは広告代理店１１は、運営会社２に対して広告放映料を支払う（矢印Ｅ）。ここで、運営会社２は、各パチンコ店４から台間機代金の支払を受けるが（矢印Ｆ）、この代金を、広告主１１から得られる広告放映料を勘案して減額することが可能である。この結果、各パチンコ店４では、遊技者の来場を促進するための効果的な広告放映を行うことができると共に、そのために必要な液晶表示装置付きの台間機の購入代金も低額に押えることが可能になるという利益が得られる。
【００３１】
なお、各パチンコ店４での広告放映時間、放映回数などの実績に基づき、各パチンコ店毎に広告放映料を算出して、各パチンコ店４に広告放映料を支払うことも可能である。かかるシステムは、広告受信装置として機能するホールコンピュータ５に、広告表示装置として機能する液晶表示装置７での広告表示時間、広告表示回数を含む広告表示状態を監視する広告表示監視機能を持たせ、広告配信装置３に、各パチンコ店４のホールコンピュータ５から広告表示状態に関するデータを受信して、各パチンコ店毎に支払うべき広告放映料を算出する広告放映料算出機能を持たせることにより実現できる。
【００３２】
（パチンコ台および液晶表示装置付き台間機の例）
次に、図３、４および５を参照して、上記の配信システム１におけるパチンコ台８および台間機６の例を説明する。図３はパチンコ台および隣接配置された台間機６の正面図であり、図４はパチンコ台および台間機の平面図であり、図５はパチンコ台の背面図である。
【００３３】
これらの図に示されるように、パチンコ台８は、遊技玉を貯める遊技玉タンク１７と、この遊技玉タンク１７から遊技玉を払い出す玉払い出し装置１８と、この玉払い出し装置１８が払い出した遊技玉を貯める上皿１９と、上皿１９から供給される遊技玉を発射ハンドル２０の操作に応じて発射する発射装置２１と、発射された遊技玉の入賞、外れを決定する遊技盤２２と、上皿１９の近傍に設けられた玉貸操作部２３と、上皿１９からオーバーフローした遊技玉を貯める下皿２４と、下皿２４の左側部分に設けられた灰皿２５と、各部分の動作を制御する制御ユニット２６とを備えている。
【００３４】
玉貸出操作部２３には、プリペイドカードの残り度数または現金投入額に応じた度数を表示する度数表示部２３ａと、遊技玉の貸出操作を行う貸出操作ボタン２３ｂと、プリペイドカードの返却操作を行う返却操作ボタン２３ｃとが設けられている。遊技者が台間機６にプリペイドカードを挿入すると、プリペイドカードの残り度数が度数表示部２３ａに表示され、この状態で貸出操作ボタン２３ｂを操作すると、所定個数（例えば５００円分）の遊技玉が玉払い出し装置１８によって貸出される。また、返却操作ボタン２３ｃが操作された場合には、残り度数に拘わらずプリペイドカードが台間機６から返却される。
【００３５】
一方、遊技者が台間機６に現金（例えば千円札）を投入すると、投入金額に応じた度数が度数表示部２３ａに表示され、この状態で貸出操作ボタン２３ｂを操作すると、投入金額に応じた個数（例えば千円分）の遊技玉が玉払い出し装置１８によって貸し出される。
【００３６】
図６は台間機６の斜視図であり、図７は台間機６の制御系を示す概略ブロック図である。これらの図に示されるように、台間機６は、高さ寸法が大きく、幅寸法が小さな薄型の装置本体６ａを有し、パチンコ台８の間に確保される台間スペースに抜き差し自在に装着されている。台間機６には、その動作状態を表示する動作表示ランプ２７と、紙幣を受け入れる紙幣投入部２８と、プリペイドカードや会員カードを受け入れるカード挿入部２９と、プリペイドカードによる貸し出し条件などを設定表示する設定表示部３０と、小型の表示画面７ａを備えている液晶表示装置７と、各部分を制御する制御部３２とが設けられている。
【００３７】
動作表示ランプ２７は、店員による視認性を高めるために、通常、台間機６の上部に設けられており、本例では、台間機６の正面上端部に設けられている。紙幣投入部２８は、紙幣投入口２８ａから投入された紙幣の搬入や返却を行う紙幣搬送手段と、搬入した紙幣の真偽を識別する紙幣識別手段と、正規の紙幣を収納する紙幣収納手段とを備えており、動作表示ランプ２７の下側に配置されている。
【００３８】
カード挿入部２９は、カード挿入口２９ａから挿入されたプロペイドカードや会員カードの搬入・返却を行うカード搬送手段と、搬入したプリペイドカードや会員カードの磁気データを読み書きする磁気データ読み書き手段を備えており、台間機６の正面下側に配置されている。設定表示部３０は、例えばプリペイドカードによる貸出金額単位を表示する７セグメントＬＥＤ表示部３０ａと、貸出金額単位を設定する設定スイッチ３０ｂとを備えており、紙幣投入部２８の下側近傍位置に配置されている。
【００３９】
上記の各部分のうち、少なくとも紙幣投入部２８および液晶表示装置７は、装置本体６ａに対して選択的に組み込み可能なユニットとして構成されている。
【００４０】
液晶表示装置７の表示画面７ａは、例えば２インチ程度の画面サイズを有する液晶パネルであり、設定表示部３０の下方近傍位置において画像表示を行う。表示画面７ａの取付部７ｂは、台間機６の前面から突出すると共に、その前面が右方向に傾斜、例えば、２０度から７０度の角度の範囲内で傾斜している。これにより、液晶表示装置７の左右の幅を抑えつつ、画面サイズを可及的に大きくすることができる。また、表示画面７ａは、台間機６の前面から前方に突出するものの、台間機６の左右の幅寸法内に収まっている。これにより、パチンコ台８の開閉に際して液晶表示装置７が邪魔になったり、パチンコ台８との干渉によって液晶表示装置７が破損する不具合が回避される。
【００４１】
前述したように、液晶表示装置７は、予めユニット化され、台間機６の装置本体６ａにオプションとして装備されている。これに加えて、装置本体６ａに装備されている液晶表示装置７は、装置本体６ａに対する着脱が可能となっている。図６に示されるように、装置本体６ａには、前方が開口したユニット装着空間３３が形成され、このユニット装着空間３３に対して、ユニット化された液晶表示装置７を前後方向に抜き差し自在に装着可能である。ユニット装着空間３３には、液晶表示装置７の抜き差しをガイドするためのガイドレール３４と、装着時に液晶表示装置７の側のコネクタ（図示せず）に接続するコネクタ３５と、液晶表示装置７を位置決めする位置決めピン３６とが設けられており、装着状態では不図示のロック機構によって液晶表示装置７の抜き取りが規制される。
【００４２】
（その他の実施の形態）
なお、上記の説明では広告表示装置として台間機に設置された液晶表示装置を用いているが、液晶表示装置以外の表示装置、例えばＣＲＴ、プラズマディスプレイパネルなどの表示装置を用いることもできる。
【００４３】
また、広告表示装置として、遊技台の前面パネルに取り付けた透過型の液晶表示装置を用いることもできる。この場合には、遊技の邪魔にならないように、例えば、遊技者が遊技台の前に座ったことを検出すると、液晶表示装置による広告放映を停止して、当該液晶表示装置の表示画面を透明状態に切り換えて、背面側の遊技台の盤面を目視できるようにすればよい。
【００４４】
さらに、広告表示装置として、遊技台に組み込まれている遊技用の液晶表示装置を利用することも可能である。この場合においても、遊技台の前に遊技者が座ったことを検出すると、液晶表示装置による広告放映を停止して、画面を遊技用の画面に切り替えるようにすればよい。
【００４５】
【発明の効果】
以上説明したように、本発明の遊技店向け広告の配信システムにおいては、各遊技店で放映される広告を一括して制作し、インターネットなどの通信網を介して各遊技店に配信し、各遊技店の台間機あるいは遊技台に設置されている広告表示装置に配信広告を表示させるようにしている。
【００４６】
本発明によれば、各遊技店が個別の広告を制作する場合に比べて、効率良く、遊技者の来店を促進可能な広告を制作して放映することが可能になる。広告の更新作業も広告配信装置の側で行われるので各遊技店は広告の更新作業などのメンテナンスも不要になる。
【００４７】
また、広告放映は、遊技者の目の高さ位置あるいはその上下近傍に位置している広告表示装置によって行われるので、天井などから吊り下げられているモニタ画面や店内の隅に設置されているモニタにより広告を放映する場合に比べて、遊技者の目にとまり易い形態での効果的な広告放映が可能になる。
【００４８】
さらに、本発明の配信システムを用いれば、広告放映料を各遊技店に還元する運営システムを簡単に構築できる。例えば、広告表示装置として機能する液晶表示装置付きの高価な台間機の購入費用の一部を広告放映料の一部で賄うことの可能な運営システム（課金システム）を採用することが可能になる。この結果、広告表示装置付きの台間機の普及を図ることが可能になり、広告主などにとってもより効果的な広告宣伝を各遊技店において行うことが可能になるという効果が得られる。
【図面の簡単な説明】
【図１】本発明を適用した遊技店向け広告の配信システムの実施の形態を示す全体構成図である。
【図２】図１のシステムを利用した運用システムの一例を示す説明図である。
【図３】図１のシステムに用いることのできるパチンコ台および台間機を示す正面図である。
【図４】図３のパチンコ台および台間機の平面図である。
【図５】図３のパチンコ台の背面図である。
【図６】図３の台間機の斜視図である。
【図７】図３の台間機の制御系を示す概略ブロック図である。
【符号の説明】
１　　遊技店向け広告の配信システム
２　　システム運営会社
３　　広告配信装置
３１　配信広告データベース
４　　パチンコ店
５　　ホールコンピュータ（広告受信装置）
６　　台間機
７　　液晶表示装置（広告表示装置）
８　　パチンコ台
９　　インターネット（通信網）
１０　台間機販売元
１１　広告主または広告代理店
【図１】
2004121638.tif 000003
【図２】
2004121638.tif 000004
【図３】
2004121638.tif 000005
【図４】
2004121638.tif 000006
【図５】
2004121638.tif 000007
【図６】
2004121638.tif 000008
【図７】
2004121638.tif 000009